(57)【要約】      （修正有）【課題】ストーマ袋を体に装着した状態でも、排泄時の排泄音を軽減し、かつ容易に装着及び脱着することができる機能を兼ね備えたストーマ袋用カバーを提供する。【解決手段】ストーマ袋用カバー４の生地が、外生地１１と内生地１２とが縫製された２層の生地からなり、かつ外生地は、主生地層と遮音層からなること。また、ストーマ袋用カバーが、主生地層と遮音層が設けられた生地により構成されており、ストーマ袋用カバーの片方の面に設けられた開口を、ストーマ袋用カバー側面の少なくとも一方側に至るまで延長し、当該ストーマ袋用カバー側面が、延長された開口と接する部分から一部開閉自在とする。【選択図】図４
0003174614.tif 000002
【実用新案登録請求の範囲】
【請求項１】
ストーマ袋用カバーの生地が、外生地と内生地とが縫製された２層の生地からなり、かつ外生地は、主生地層と遮音層とからなることを特徴とするストーマ袋用カバー。
【請求項２】
内生地には遮音層が設けられていないことを特徴とする請求項１に記載のストーマ袋用カバー。
【請求項３】
ストーマ袋用カバーの片方の面に設けられた開口が、ストーマ袋用カバー側面の少なくとも一方側に至るまで延長し、当該ストーマ袋用カバー側面が、延長された開口と接する部分から一部開閉自在であることを特徴とする請求項１又は２に記載のストーマ袋用カバー。
【請求項４】
前記外生地の遮音性能が、周波数１０００Ｈｚで透過損失４ｄｂ以上であることを特徴とする請求項１から３のいずれか１項に記載のストーマ袋用カバー。
【請求項５】
前記外生地及び内生地の厚さが、０．５ｍｍ以下であることを特徴とする請求項１から４のいずれか１項に記載のストーマ袋用カバー。
【請求項６】
前記主生地層がポリエステルであり、前記遮音層がアクリル樹脂層であることを特徴とする請求項１から５のいずれか１項に記載のストーマ袋用カバー。
【請求項７】
前記外生地が、カーテン生地であることを特徴とする請求項１から６のいずれか１項に記載のストーマ袋用カバー。
【請求項８】
前記一部が５ｃｍ以内であることを特徴とする請求項３に記載のストーマ袋用カバー。
【請求項９】
ストーマ袋用ベルトの保持部が設けられていることを特徴とする請求項３又は８に記載のストーマ袋用カバー。
【考案の詳細な説明】
【技術分野】
【０００１】
本考案は、ストーマ袋に設けられるカバーに関する。具体的には、遮音効果のあるストーマ袋用カバーに関する。
【背景技術】
【０００２】
ストーマは、消化管や尿路の疾患などにより腹部に便を排泄するために増設された排泄口のことであり、排泄物は合成樹脂で構成されるストーマ袋に溜められる。このストーマ袋は、袋と面板から構成されている。袋の入口側の孔部が面板の一方の面に固定され、この面板には接着性のある皮膚保護剤が塗布され、ストーマ周囲に接着することで、ストーマ袋が腹部に固定保持される。
【０００３】
袋の下部には開口部が備わっており、溜まった排泄物を排出又は開口部からガスを抜くことができるものと、開口部を備えず使い捨てできるものがある。このような袋及び面板とからなるストーマ袋には、袋と面板とが一体的に固着されたワンピース型と、袋が面板に対し着脱交換可能なツーピース型の２種類が存在している。
【０００４】
そして、ストーマ袋のうち、面板と逆側の面、言い換えれば装着した時に他人から見える側の面は、透明又は半透明となっている。ストーマ袋はストーマにしっかりと装着されなければならないが、体に取り付ける際に外側からストーマ及びストーマ袋のストーマ装着部をよく見えるようにしておく必要があるからである。
【０００５】
一方、ストーマ袋が透明又は半透明である結果、排泄物が溜まった状態では外観を悪化させ、使用者の精神安定上好ましくない。またストーマ袋の付け心地についても向上の余地がある。そこで、ストーマ袋に装着されるカバーが使用される場合がある（例えば特許文献１参照）。そして、出願人は、容易に装着及び脱着することができるストーマ袋用カバーを考案し開示している（特許文献２）。
【０００６】
このように、従来技術においては、ストーマ袋やそのカバーにおいて外観を向上させ、又薄さや取り扱い等の点で改善されたものが存在する。
【０００７】
しかしながら、ストーマの使用者にとって、未だ殆ど着目されておらず改善されていない大きな問題がある。それは、排泄物（便）やガスの排出音の問題である。
この問題は、ストーマ自体には「溜める」という機能がないことから起こるものである。すなわち、ストーマ使用者は排泄物やガスの排出を「自分の意志」でコントロールすることができず、蠕動運動で送られてきた便やガスは、意志とはまったく無関係に、たえずストーマ（排泄口）から出てきてしまうのである。したがって、「いつ」排泄されるのかわからず、そのコントロールもできないのである。
すなわち、排泄物やガスの排出について、排出の時間も場所も選ぶことができないため、例え人前でも自動的に排出が行われてしまう。したがって、排泄物やガスの排出音のコントロールが出来ずそのまま漏れてしまう。特に、ガスと排泄物が一緒に出てしまう時には、音がかなり大きく出てしまう。このような状況は使用者にとって大変な精神的苦痛となっている。にもかかわらず、この問題に対応した製品が存在しない現状では、排泄音が漏れないように服の上からストーマ袋を手で押さえたり、何枚も厚着をするなど、個々の努力で対応しているのが実情である。
【先行技術文献】
【特許文献】
【０００８】
【特許文献１】特開２００９−２５４７１９号公報
【特許文献２】実用新案登録第３１５７３３８号
【考案の概要】
【考案が解決しようとする課題】
【０００９】
そこで、本考案の目的は、ストーマ袋を体に装着した状態でも、排泄物やガスの排出音を軽減し、かつ容易に装着及び脱着することができる機能を兼ね備えたストーマ袋用カバーを提供することを目的とする。
【課題を解決するための手段】
【００１０】
当該目的を達成するため、本考案のストーマ袋用カバーは、その生地が外生地と内生地とが縫製された２層の生地からなり、かつ外生地は、主生地層と遮音層からなるものである。
また、内生地には、遮音層が設けられていないことが好適である。
さらに、ストーマ袋用カバーの片方の面に設けられた開口が、ストーマ袋用カバー側面の少なくとも一方側に至るまで延長し、当該ストーマ袋用カバー側面が、延長された開口と接する部分から一部開閉自在であることからなる。
【００１１】
また、ストーマ袋用カバーの生地の遮音性能が、周波数１０００Ｈｚで透過損失４ｄｂ以上であることが好適である。
また、ストーマ袋用カバーの外生地及び内生地の厚さが、１ｍｍ以下、さらに好ましくは０．５ｍｍであることが好適である。
また、ストーマ袋用カバーの主生地層がポリエステルであり、遮音層がアクリル樹脂層であることが好適である。
また、ストーマ袋用カバーの外生地が、カーテン生地であることが好適である。
また、前記一部とは、５ｃｍ以内であることが好適である。
また、ストーマ袋用カバーに、ストーマ袋用ベルトの保持部が設けられていることが好適である。
【００１２】
本考案者は、排泄物やガスの排出音に関して、高周波数の音の方がより遠くに伝わり、かつ耳の感覚に敏感に反応することに着目した。すなわち、他者に聞こえるか否かという観点からすれば、ストーマ袋を覆い、高周波数の音をより効率的に遮断することができれば、他者に排泄音は聞こえにくくなることを発見した。そして、高周波の音をより確実に遮音し、なおかつ外観の保持と使いやすさを失わないストーマ袋のカバーを提供することを可能にしたものである。
【００１３】
そこで、本考案のストーマ袋用カバーにおいては、主生地層（基布）に遮音層が設けられた外生地、すなわち遮音コーティングされた生地が外生地の構成として採用されている。外生地の主生地層は、例えばポリエステルなどの化学繊維、不織布、麻、布地など、公知の素材を利用可能であり、遮音コーティングは、例えばアクリル又はポリウレタンコーティングなど、公知の遮音コーティング手段を利用可能である。主生地層や遮音層は本考案の目的を達する限り複数の層に渡っても良く、消臭機能・抗菌機能など他の機能を有する層などを有していても良い。
【００１４】
そして、そのような生地としては、建築資材として使用されている遮音シートも利用可能であるが、遮音コーティングが施されたカーテン生地を利用することが特に好適である。例えば、特開２００５−６８５８６に記載されているようなカーテン生地を挙げることが可能である。このような公知又は市販のカーテン生地であれば、改めて遮音コーティングを施した生地を独自に製造する必要が無く、より安価に製造することが可能であり、場合によっては洗濯も可能である。なおかつ、外観上もストーマ袋の中身を隠し、肌感や付け心地の良いカバーを製造することが可能である。
【００１５】
遮音効果をさらに高めるため、本考案のストーマ袋用カバーの生地は、外生地と内生地とが縫製された、２層の生地として構成されている。本願において、外生地とは、ストーマ袋用カバーを装着した際、外観上直接見える側に配置される生地となる。一方、内生地とは、ストーマ袋用カバーを装着した際、カバーの内側となりストーマ袋に接し、外観上直接見えない側に配置される生地となる。すなわち、ストーマ袋用カバーは、ストーマ袋を包むようにして使用されるが、カバーの生地の外側には外生地が、内側には内生地が設けられており、この２種類の生地によって、音漏れを遮断するものである。
【００１６】
従来は、遮音層が設けられていない通常の生地のみによってストーマ袋用カバーが構成されていたため、ストーマ袋用カバーの生地が、例え内生地がなく遮音層を有する外生地のみであったとしても、従来と比べ飛躍的に高い遮音効果を有するものである。しかしながら、本考案者は、ストーマ袋用カバーの生地を、遮音層が設けられた外生地だけでなく、外生地と内生地を縫製した２層の生地とすることで、例え内生地に遮音層が設けられていなくても、遮音効果をさらに飛躍的に高めることができることを発見したものである。したがって、内生地には、外生地と同じ生地、即ち遮音層が設けられた生地を使用することもできるが、これに限られず、例えば通常の綿や化繊の生地を使用できるので、製造コストについても安価に抑えることができるものである。さらに、外生地と内生地は、全面を接着するのではなく、生地を重ねて縫製することで、両生地間に空間ができるため、より音を吸収し遮音効果を高めることができるものである。縫製箇所は、特に限定されないが、例えば生地を重ねて周辺を縫製することで製造することが出来る。
【００１７】
外生地の遮音性能としては、周波数１０００Ｈｚでの透過損失が４ｄｂ以上、さらに望ましくは８ｄｂであることが好適である。遮音性能は高ければ高い程良いが、あまり高すぎると、生地が厚すぎたり重すぎて、ストーマ袋がストーマからずれてしまったり、違和感やかさばりを生じる原因となってしまうため、外生地の厚さは１ｍｍ以下、特には０．５ｍｍ以下であることが好適である。また、内生地の厚さについても、同様に１ｍｍ以下、特には０．５ｍｍ以下であることが好適である。
【００１８】
また、本考案は、ストーマ袋を通すための開口が設けられた、一般的なあらゆるタイプのストーマ袋用カバーの構成として使用できる。遮音性能をより高めるためには、密閉性を損なわない形状のカバーであることが好ましいが、その一方で、カバーの密閉性が高すぎると、従来のストーマ袋用カバーと同じ欠点を有することになる。すなわち、ストーマ袋を体につけた状態で、ストーマ袋及び面板を小さく折り畳んだり、小さく丸めたりしなければストーマ袋を装着することが出来ず、装着の際に手間がかかり、またストーマ袋を傷つける恐れもあるなど、大変不便になってしまう。
【００１９】
そこで、ストーマ袋用カバーの片方の面に設けられた開口が、ストーマ袋用カバー側面の一方側に至るまで延長し、当該ストーマ袋用カバー側面が、延長された開口と接する部分から一部開閉自在であることが好適である。そして、ストーマ袋用カバー側面のうち、延長された開口と接する部分から一部開閉自在となっている。すなわち、側面から開口へ向かってカバーを開いて、ストーマ袋を装着できるようになっている。この構造により、使用者はストーマ袋を体に装着した状態でも、ストーマ袋及び面板を小さく折り畳んだり、小さく丸めたりする必要が無く、容易にストーマ袋用カバーを装着することが出来る。その一方で、開口は装着したとき体側に位置しストーマ袋を通しており、カバー側面は基本的に閉じているため、密閉性が高く、遮音性能を損なわない。したがって、遮音性能と、着脱の容易さを同時に実現することが可能である。
【００２０】
なお、開閉自在とする手段は、面ファスナーやジッパーなど、密閉性の高い手段を製造費用に合わせて適宜選択すればよい。また、密閉性を高めるために、延長された開口を構成する片側（例えば下側）の生地がもう片側（例えば上側）の生地に被さっているように構成して、外観上は開口が略円形に見えるような構造としても良い。また、開口の側面まで延長される部分は両側面に向けて設けられても良い。また、密閉性を高めるという観点から、一部開閉可能な側面は、5cm以内に納めることが好適である。
【００２１】
また、ストーマ袋用カバーには、ストーマ袋用ベルトの保持部を設けることが好適である。通常であれば、ストーマ袋用カバーを装着すると、ストーマ袋が覆われて隠れてしまうので、ストーマ袋用ベルトを装着することができないが、この構成により、ベルトの装着も可能となる。保持部は、ベルトが固定されるものであれば特に限定されるものではないが、例えばストーマ袋用カバーに、紐・ゴム又はプラスチック素材などで作った輪状部としてストーマ袋用カバーの両側面に配置することで、ベルトのフックや紐を固定させて使用することが出来る。
さらに、開口を有しない面に、ジッパー又は面ファスナーによる開閉可能部を設けることで、ストーマ袋及びカバーを装着したまま、ジッパーを空けてストーマ袋を出すことが可能である。この構成によれば、カバーを装着したまま、排泄物をストーマ袋から排出するときの手間を減らすのに役立ち、かつ密閉性の損失が少ない。
【考案の効果】
【００２２】
本考案の以上の構成により、本考案のストーマ袋用カバーの使用者は、他者に聞こえる排泄物やガスの排出音を低減することが出来る。さらには、かつストーマ袋を体に装着した状態で、ストーマ袋用カバーを側面から開いて、側面側からそのまま滑らせるようにして、ストーマ袋の形状を変化させることなく、容易にストーマ袋用カバーを装着することが出来る。また、同様の方法で、例えストーマ袋に排泄物等が入っていても、容易に脱着をすることが可能である。
【図面の簡単な説明】
【００２３】
【図１】ストーマ袋を示す図である。
【図２】本考案のストーマ袋用カバーを正面から見た図である。
【図３】本考案のストーマ袋用カバーを背面から見た図である。
【図４】本考案のストーマ袋用カバーを側面から開いた状態で、正面から見た図である。
【考案を実施するための形態】
【００２４】
本考案の実施の形態の一例を図面にしたがって説明する。
【００２５】
図１は、ストーマ袋１を示す図である。ストーマ袋１は、排泄物を入れるための袋２と、面板３から構成されている。この面板３が袋２と一体となっているワンピース型と、面板３が袋２に対し着脱可能なツーピース型の２種類が市販されている。本考案のストーマ袋用カバー４（図２，３参照）は、いずれの型についても使用可能である。
【００２６】
図２は、本考案のストーマ袋用カバー４を開口５を有する面から見た正面図である。なお、ストーマ袋用カバーに関しては、ストーマ袋用カバー４は、外生地１１と内生地１２が縫製部１０により縫製された生地により構成される（図４参照）。外生地１１としては、山田リビング株式会社から販売されている商品番号５１４０２２のカーテンを使用した。外生地１１の主生地層はポリエステルであり、裏側の遮音層はアクリルコーティングにより形成されている。内生地１２としては綿100％の生地を使用している。ストーマ袋用カバー４は、外生地１１と内生地１２を縫製して、開口を有する面と有しない面の形状にそれぞれ作成し、その後両面の生地を合わせて縫製して作成されている。
ストーマ袋用カバーの正面に設けられた開口５は、ストーマ袋における袋と面板の間に挟まれる略円形状をした中央部分６と、ストーマ袋用カバー４の側面８に至るまで延長している延長部分７によって構成されている。
ストーマ袋用カバー側面８のうち、延長部分７と接する部分から下側に5cmほど、面ファスナーを利用することで開閉自在となっている。
さらに、ストーマ袋用ベルトの保持部１３が設けられている。この保持部は、紐・ゴム又はプラスチック素材などで作った輪状部としてストーマ袋用カバー４の両側面に配置されており、ストーマ袋用ベルトのフックや紐などを固定することが出来る。
【００２７】
図３は、本考案のストーマ袋用カバー４を開口５を有さない面から見た背面図である。
図示していないが、こちらの面にジッパーを設ければ、ストーマ袋１及びストーマ袋用カバー４を装着したまま、ジッパーを空けてストーマ袋１を出すことが可能である。なお、このジッパーを設ける場合には、外生地１１と内生地１２がずれないように、ジッパー部分について、縫製などで外生地１１と内生地１２を固定することが好適である。
【００２８】
図４は、本考案のストーマ袋用カバー４を側面から開いた状態で、正面から見た図である。ストーマ袋用カバー４は、外生地１１と内生地１２が縫製部１０により縫製された生地により構成されている。ストーマ袋用カバー４のストーマ袋用カバー側面８は、一対の面ファスナー９、９’で開閉自在とされている。このように、ストーマ袋用カバー側面８は延長部分７と接する部分から、開くことができる。したがって、ストーマ袋１を体に装着した状態で、ストーマ袋用カバー４を側面から開いて容易にストーマ袋用カバー４を装着することが出来る。
【００２９】
遮音効果の実験
上記実施例に記載のカバーについて、遮音効果の有無について実験した。
実験方法
録音機にスピーカーを接続して、ストーマ袋内にスピーカーを入れ、同じ音を出して、１m離れて音の大きさを計測器にて測定した。
録音機  ：  オリンパス  Voice-Trek  V-65
スピーカー  ：JVC  portable speaker  SP-A1M
計測器  ：  SMART  SENSOR  AR814
実験結果
ストーマ袋用カバー未装着のものと、他者が従来より市販している遮音層が設けられていない市販のストーマ袋用カバー２種類と、遮音層が設けられた外生地のみで内生地が設けられていないストーマ袋用カバーと、上記実施例に記載された本考案品とを比較した。
【００３０】
ストーマ袋用カバー未装着での計測値（db）を１００としたときの値を下記表に示した。
0003174614.tif 000003
【００３１】
結果
以上の結果から、本考案のストーマ袋用カバーを装着することにより、未装着の場合に比べ高い遮音効果（２０％減少）があることが確認され、実際に耳で聞いても明らかに聞き取れる音が小さくなっていた。市販のカバーでは、遮音率は５％以下だが、本考案では４倍以上の遮音率を有している。したがって、従来のストーマ袋用カバーにはない高い遮音性能を有していることが確認された。さらに、内生地が設けられていないもの（遮音層が設けられた生地のみからなるもの）に比べても、６％以上の差が見受けられた。すなわち、例え内生地に遮音層が設けられていなくても、本考案の構成を採ることにより極めて高い遮音効率を達成できることが確認された。
【符号の説明】
【００３２】
１        ストーマ袋
２        袋
３        面板
４        ストーマ袋用カバー
５        開口
６        中央部分
７        延長部分
８        カバー側面
９、９’  面ファスナー
１０      縫製部分
１１      外生地
１２      内生地
１３      保持部
【図１】
0003174614.tif 000004
【図２】
0003174614.tif 000005
【図３】
0003174614.tif 000006
【図４】
0003174614.tif 000007